(57)【要約】【課題】手を濡らすことなく、洗米容器から炊飯釜に米を移し変える必要もなく、研ぎ汁の飛散を防止できるばかりでなく、濯ぎ作業の回数を削減することで節水効果が得られ。かつ感覚的に充分な米研ぎ効果を得ることができる洗米器具を提供する。【解決手段】洗米器具５を、略円形の網体１と、この網体１の全周にわたって取り付けられた略円環状のパッキング２と、網体１の略中央に設けられた人手挿入口１ａから下方へ膨出して設けられた攪拌袋３とから構成し、網体１の網目は、米粒が通過しない程度の大きさにする。【選択図】  図１
0003156222.tif 000002
【実用新案登録請求の範囲】
【請求項１】
略円形の網体と、該網体の周縁に設けられると共に、炊飯器内釜の開口縁部に嵌合可能にされた略円環状のパッキングと、前記網体の略中央部に人手が挿入可能で且つ下方に膨出した攪拌袋とからなることを特徴とする洗米器具。
【請求項２】
攪拌袋の外表面に複数の突起を設けたことを特徴とする請求項１記載の洗米器具。
【考案の詳細な説明】
【技術分野】
【０００１】
本考案は、米研ぎに使用する洗米器具に関し、特に、手を濡らすことなく米を研ぐことができる洗米器具に関する。
【背景技術】
【０００２】
米研ぎは、手で揉んだり擦すって米ぬかを水洗いして落とすが、爪が割れたりマニキュアが剥落したりする。また、冬季は冷たい水に手を入れるのが苦痛であり、アカギレやシモヤケになって手が荒れる心配がある。また、研ぎ汁が周囲に飛散したり、濯ぎの際に炊飯釜や容器と手の隙間から米粒が流亡することは免れないばかりでなく、底に溜まった濃い白濁水を全部流し切ってしまうことができない。したがって、濯ぎ作業を何度も繰り返し行なう必要がある。
【０００３】
そこで、直接手を濡らすことなく水道水の水圧等を利用して洗米する器具が種々開発されている。例えば、網付き蓋を有した容器の内側に遠心力うねりを作り出す起動力となる螺旋状の突起を設け、この容器を小さく楕円運動させることにより洗米する器具（特許文献１参照。）。炊飯器内釜の縁部上に重ねて載置される平坦な円環状の枠持部と、枠持部から下方へ約４５度の傾斜角で垂下する円錐面を持つ網部とから成り、手を濡らすことなく米を研ぐことができる洗米器具（特許文献２参照。）。帯状の網を湾曲させて筒状にして炊飯釜に嵌めて、水道水の水圧と水流により洗米するようにした洗米網（特許文献３参照。）等が提案されている。
【先行技術文献】
【特許文献】
【０００４】
【特許文献１】特許第２９２８７８１号公報
【特許文献２】実用新案登録第３０４７２９９号公報
【特許文献３】特開２００６−３４１０４４号公報
【考案の概要】
【考案が解決しようとする課題】
【０００５】
しかしながら、上記従来の洗米器具は、炊飯釜と別体であり、米の移し変え作業等に手間が係るばかりでなく、水流のみで洗米するので充分な米研ぎ効果が期待できないという問題があった。本考案は、上記従来技術の実情に鑑み、手を濡らすことなく、洗米容器から炊飯釜に米を移し変える必要もなく、研ぎ汁の飛散を防止できるばかりでなく、濯ぎ作業の回数を削減することで節水効果が得られ。かつ感覚的に充分な米研ぎ効果を得ることができる洗米器具を提供することを目的とする。
【課題を解決するための手段】
【０００６】
このため本考案の洗米器具は、可撓性を有する略円形の網体と、該網体の周縁に設けられると共に、炊飯器内釜の開口縁部に嵌合可能にされた略円環状のパッキングと、前記網体の略中央部に人手が挿入可能で且つ下方に膨出した可撓性を有する攪拌袋とからなることを第１の特徴とし、攪拌袋の外表面に複数の突起を設けたことを第２の特徴とする。
【考案の効果】
【０００７】
本考案によれば、下記の優れた効果がある。
（１）濯ぎの際、炊飯釜の底に溜まった濃い研ぎ汁を全て排出できるので、濯ぎ作業の回数を減らして節水できる。
（２）濯ぎの際に、米が流亡するおそれがない。
（３）洗米時に手を濡らすことなく、冬季における冷たい水を用いても洗米が苦痛にならず、手荒れの心配がない。
（４）爪が割れたり、マニキュア等の装飾を損なうことがなく、ハンドクリーム等を塗った状態でも米研ぎできる。
（５）洗米後の容器から炊飯釜への移し変え作業が不要である。
（６）周囲に研ぎ汁が飛散せず、直接手が米に触れないので清潔である。
（７）米を研ぐ感覚は従来のままなので、充分な米研ぎをしたという実感を得られる
【図面の簡単な説明】
【０００８】
【図１】本考案に係る洗米器具を炊飯釜に取り付けた状態を示す斜視図である。
【図２】本考案に係る洗米器具の平面図である。
【図３】本考案の他の実施例を示す斜視図である。
【考案を実施するための形態】
【０００９】
以下、本考案の実施の形態を図面に示す実施例に基づいて説明する。
図１は本考案に係る洗米器具を炊飯釜に取り付けた状態を示す斜視図、図２は本考案に係る洗米器具の平面図、図３は本考案の他の実施例を示す斜視図である。
【実施例】
【００１０】
図１乃至図３に示すように、本考案に係る洗米器具５は、略円形の網体１と、この網体１の全周にわたって取り付けられた略円環状のパッキング２とを有する。網体１の略中央に設けられた人手挿入口１ａからは、攪拌袋３が下方へ膨出して設けられている。網体１の網目は、米粒が通過しない程度の大きさとする。
【００１１】
網体１の材質は金属製でも良いが、可撓性のあるゴムや合成樹脂製のものが良く、耐久性の高い軽量なウレタンスポンジ等が好適である。また、炊飯釜６内部の様子が目視できるように透明性のある材質のものが好ましい。この網体１を炊飯釜６の上部開口に応じた円形に成形する。網目の大きさは、水や微細な不純物は通過するが米粒は通過できない程度のものを使用する。網体１の周縁には略円環状のパッキング２が設けられ、炊飯釜６の上縁リブ６ａに嵌合させ、網体１を炊飯釜６の開口面に伸張させる。円環状のパッキング２の一部にはゴム等の伸縮可能な一対の弾性部材２ｂが直径方向に相対して取り付けられ、炊飯釜６の各種開口サイズに対応できるようにされている。
【００１２】
先ず、炊飯釜６に米８を入れ、水を張った後、本考案による洗米器具５を炊飯釜６に装着する。網体１の人手挿入口１ａから手７を挿入し、攪拌袋３越しに米８を揉んだり擦って洗うことで効率的に満遍なく洗米することができる。この攪拌袋３はポリエチレン等の柔軟でかつ堅牢な材質が望ましく、破損した際は攪拌袋３のみ交換できるようにネジ式で脱着可能とする。また、図３に示すように、攪拌袋３の外表面に複数の突起４を設けると洗米効果を高めることができる。研ぎ汁が白濁したら炊飯釜６を傾けて濯ぐと、網体１の網目により、研ぎ汁に混ざった米糠や籾殻等の不純物が流出される。また、炊飯釜６内の研ぎ汁をほぼ完全に排出できるので、底部に溜まった濃い研ぎ汁も排出することができ、濯ぎ回数が削減でき節水効果を得られる。勿論、米粒は網目を通らないので流亡することはない。
【００１３】
網体１のパッキング２には、炊飯釜縁のリブ６ａを受容するための溝条（図示せず）を凹設すると尚よい。このような溝条を設けることにより、パッキング２をさらに安定して装着することができる。尚、パッキング２には炊飯釜６の各種開口サイズに対応できるように、この溝条を多段に設けると良い。
【００１４】
なお、洗米が完了した後は、取手２aを把持して洗米器具５を炊飯釜６から引き外すだけでよく、洗米容器等から炊飯釜６への米の移し替え作業は不要である。そのまま炊飯釜６に所定量の水を入れて炊飯すればよい。
【符号の説明】
【００１５】
１    網体
１ａ  人手挿入口
２    パッキング
２ａ  取手
２ｂ  弾性部材
３    攪拌袋
４    突起
５    洗米器具
６    炊飯釜
６ａ  炊飯釜のリブ
７    人手
８    米
【図１】
0003156222.tif 000003
【図２】
0003156222.tif 000004
【図３】
0003156222.tif 000005